【手続補正書】
【提出日】平成19年4月12日(2007.4.12)
【手続補正１】
【補正対象書類名】明細書
【補正対象項目名】特許請求の範囲
【補正方法】変更
【補正の内容】
【特許請求の範囲】
【請求項１】  配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるキナーゼポリペプチドをコードする，単離された，濃縮されたまたは精製された核酸分子。
【請求項２】  前記核酸分子が，
（ａ）配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２に記載されるアミノ酸配列を含むポリペプチドをコードする；
（ｂ）（ａ）のヌクレオチド配列の相補体である；
（ｃ）高度にストリンジェントな条件下で（ａ）のヌクレオチド分子にハイブリダイズし，かつ天然に生ずるキナーゼポリペプチドをコードする；
（ｄ）配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるアミノ酸配列を有するキナーゼポリペプチドをコードし，ただし，Ｎ末端ドメイン，触媒ドメイン，Ｃ末端ドメイン，コイルドコイル構造領域，プロリンリッチ領域，スペーサー領域，挿入物，およびＣ末端テールからなる群より選択されるドメインの全部ではないが１またはそれ以上を欠失している；
（ｅ）（ｄ）のヌクレオチド配列の相補体である；
（ｆ）配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２に記載される群より選択されるアミノ酸配列のドメインをコードし，前記ドメインは，Ｎ末端ドメイン，触媒ドメイン，Ｃ末端ドメイン，コイルドコイル構造領域，プロリンリッチ領域，スペーサー領域，挿入物，およびＣ末端テールからなる群より選択される；
（ｇ）（ｆ）のヌクレオチド配列の相補体である；
（ｈ）配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるアミノ酸配列を含むポリペプチドをコードし，ただし，Ｎ末端ドメイン，触媒ドメイン，Ｃ末端ドメイン，スペーサー領域，プロリンリッチ領域，コイルドコイル構造領域，およびＣ末端テールからなる群より選択されるドメインの全部ではないが１またはそれ以上が欠失している；または
（ｉ）（ｈ）のヌクレオチド配列の相補体である，
ヌクレオチド配列を含む，請求項１記載の核酸分子。
【請求項３】  宿主細胞において転写を開始するのに有効なベクターまたはプロモーターを含む，請求項１記載の核酸分子。
【請求項４】  前記核酸分子が，哺乳動物から単離された，濃縮されたまたは精製されたものである，請求項１記載の核酸分子。
【請求項５】  前記哺乳動物がヒトである，請求項４記載の核酸分子。
【請求項６】  試料中においてキナーゼポリペプチドをコードする核酸を検出するための核酸プローブであって，前記ポリペプチドが，配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されることを特徴とする核酸プローブ。
【請求項７】  前記ポリペプチドが，配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるアミノ酸配列によりコードされる蛋白質のフラグメントである，請求項６記載のプローブ。
【請求項８】  配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるキナーゼポリペプチドをコードする核酸分子を含む組換え細胞。
【請求項９】  前記ポリペプチドが，配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるアミノ酸配列によりコードされる蛋白質のフラグメントである，請求項８記載の細胞。
【請求項１０】  配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択される，単離された，濃縮されたまたは精製されたキナーゼポリペプチド。
【請求項１１】  前記ポリペプチドが，配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるアミノ酸配列によりコードされる蛋白質のフラグメントである，請求項１０記載のポリペプチド。
【請求項１２】  前記ポリペプチドが，
（ａ）配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるアミノ酸配列；
（ｂ）配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるアミノ酸配列であって，ただし，Ｎ末端ドメイン，触媒ドメイン，Ｃ末端ドメイン，スペーサー領域，プロリンリッチ領域，コイルドコイル構造領域，およびＣ末端テールからなる群より選択されるドメインの全部ではないが１またはそれ以上を欠失しているアミノ酸配列；
（ｃ）配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２に記載される配列からなる群より選択されるアミノ酸配列のドメインであって，Ｃ末端ドメイン，触媒ドメイン，Ｎ末端ドメイン，スペーサー領域，プロリンリッチ領域，コイルドコイル構造領域，およびＣ末端テールからなる群より選択されるドメイン，
を含む，請求項１０記載のポリペプチド。
【請求項１３】  前記ポリペプチドが，哺乳動物から単離された，精製された，または濃縮されたものである，請求項１０記載のキナーゼポリペプチド。
【請求項１４】  前記哺乳動物がヒトである，請求項１３記載のキナーゼポリペプチド。
【請求項１５】  前記ポリペプチドが，ＡＡ１４４５７４，ＡＡ１１６８４１，ＡＡ２５６１００，ＡＡ３０５１７６，ＡＡ２１０８２５，ＡＡ３１６８０４，ＡＡ９８００９０，Ｎ４２０５０，ＡＡ４７６５６３，ＡＡ６２６６９０，ＡＡ９６０９５７，Ｈ１９１０２，ＡＡ０４５６０１，ＡＡ１０７５１５，ＡＡ１０９５０８またはＡＡ８８７７８３ポリペプチドである，請求項１０記載のキナーゼポリペプチド。
【請求項１６】  前記ポリペプチドが，Ｈ６０２１５，ＡＡ１９７８８３，ＡＡ２９７３１３，Ｗ３０２４６，ＡＡ１７２３００，ＡＡ３８３２９３，ＡＡ５４２０１５，Ｈ０１２４８，Ｎ２３９３６，Ｗ４４１６０，２Ｒ２２−５−１１，５Ｒ７２−１８−１，ＡＡ０２１４４５，ＡＡ２０７２２０，ＡＡ４２６５８０，ＡＡ５４４８３８，Ｗ９０８３９，５Ｒ７９−５４−１，ＡＡ８３９９４０，Ｒ１９７７２または５Ｒ７２−８−２ポリペプチドである，請求項１０記載のキナーゼポリペプチド。
【請求項１７】  前記ポリペプチドが，ＡＡ２３４４５１ポリペプチドである，請求項１０記載のキナーゼポリペプチド。
【請求項１８】  前記ポリペプチドが，５Ｒ６５−１６１，ＡＡ０６１７９７，ＡＡ０６５５３８，ＡＡ１２４９７６，ＡＡ３９７５５３，ＡＡ４３５９５６，ＡＡ５７５６３５，ＡＡ６２６８５９，ＡＡ７８９２３９，ＡＩ０８６８６５，Ｈ１７７２７，Ｈ２９９７４，ＡＡ５５７５３６またはＮ２８６０６ポリペプチドである，請求項１０記載のキナーゼポリペプチド。
【請求項１９】  前記ポリペプチドが，ＡＡ６３１９９０またはＷ０８５４９ポリペプチドである，請求項１０記載のキナーゼポリペプチド。
【請求項２０】  前記ポリペプチドが，ＳＲ７２−１６−２，Ｒ１９９２７またはＲ４３５２４ポリペプチドである，請求項１０記載のキナーゼポリペプチド。
【請求項２１】  前記ポリペプチドがＳＲ５７−１０−２ポリペプチドである，請求項１０記載のキナーゼポリペプチド。
【請求項２２】  前記ポリペプチドがＡＡ２３２２５３ポリペプチドである，請求項１０記載のキナーゼポリペプチド。
【請求項２３】  前記ポリペプチドが，ＡＡ４３０２５０，ＡＡ８３６３４８，Ｒ８６６６８またはＮ３４１３２ポリペプチドである，請求項１０記載のキナーゼポリペプチド。
【請求項２４】  前記ポリペプチドが，ＡＡ０９８０２４またはＳｕＲＴＫ１０６ポリペプチドである，請求項１０記載のキナーゼポリペプチド。
【請求項２５】  前記ポリペプチドが，Ｒ４７８０５，ＡＡ０９９１０２，ＡＡ５８９２４１，Ｈ８５８１１，ＡＡ０１３５２４，ＡＡ４５２６４７，ＡＡ８４０５９８，ＡＡ０８８５４７，ＡＡ１３９４７８，ＡＡ８２６８５０，Ｒ８７６７９，Ｗ６５８８７，Ｈ９７６８５，Ｗ２０８１０，ＡＡ５９９２８６，ＡＡ４２５７２５，ＡＡ１０３２１８，ＡＡ７１１８２９，ＡＡ０６００２６，ＡＡ３９９６６９，ＡＡ７５８５３９，ＡＡ８８３９７５，ＡＡ９４８５３８，ＡＡ０１８３６１，ＡＡ２１５３１１，ＡＡ３１１７１４，ＡＡ４９８１０４，ＳＲ６９−１７−２，ＳＲ６９−２３−３，ＳＲ６９−２６−２，ＡＡ１１８３５２，ＡＡ３９６６０１，ＡＡ６７１２７５，ＡＡ２７８８４２，ＡＡ４６０１３２またはＨ０５７２１ポリペプチドである，請求項１０記載のキナーゼポリペプチド。
【請求項２６】  配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるキナーゼポリペプチドに対して特異的結合親和性を有する抗体または抗体フラグメント。
【請求項２７】  前記ポリペプチドが，
（ａ）配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるアミノ酸配列；
（ｂ）配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるアミノ酸配列であって，ただし，Ｃ末端ドメイン，触媒ドメイン，Ｎ末端ドメイン，スペーサー領域，プロリンリッチ領域，コイルドコイル構造領域，およびＣ末端テールからなる群より選択されるドメインの全部ではないが１またはそれ以上を欠失しているアミノ酸配列；
（ｃ）配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２に記載される配列から選択されるアミノ酸配列のドメインであって，Ｃ末端ドメイン，触媒ドメイン，Ｎ末端ドメイン，スペーサー領域，プロリンリッチ領域，コイルドコイル構造領域，およびＣ末端テールからなる群より選択されるドメイン，
を含む，請求項２６記載の抗体または抗体フラグメント。
【請求項２８】  配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるキナーゼポリペプチドに対して特異的結合親和性を有する抗体を産生するハイブリドーマ。
【請求項２９】  キナーゼ活性を調節する物質を同定する方法であって，
（ａ）配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるキナーゼポリペプチドを試験物質と接触させ；
（ｂ）前記ポリペプチドの活性を測定し；そして
（ｃ）前記物質が前記ポリペプチドの活性を調節するか否かを決定する
の各工程を含む方法。
【請求項３０】  細胞においてキナーゼ活性を調節する物質を同定する方法であって，
（ａ）細胞においてキナーゼポリペプチドを発現させ，ここで，前記ポリペプチドは，配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択され；
（ｂ）試験物質を前記細胞に加え；そして
（ｃ）細胞表現型または前記ポリペプチドと天然の結合パートナーとの間の相互作用の変化をモニターする
の各工程を含む方法。
【請求項３１】  疾病または疾患を治療するための医薬組成物であって，配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるキナーゼの活性を調節する物質を含む医薬組成物。
【請求項３２】  前記疾病または疾患が，免疫関連疾病および疾患，心臓血管疾病，神経変性性疾患，および癌からなる群より選択される，請求項３１記載の医薬組成物。
【請求項３３】  前記物質がインビトロでキナーゼ活性を調節する，請求項３１記載の医薬組成物。
【請求項３４】  前記物質がキナーゼ阻害剤である，請求項３３記載の医薬組成物。
【請求項３５】  疾病または疾患の診断道具として試料中においてキナーゼポリペプチドを検出する方法であって，
（ａ）前記試料を，配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択されるキナーゼポリペプチドの核酸標的領域にハイブリダイゼーションアッセイ条件下でハイブリダイズする核酸プローブと接触させ，前記プローブは，前記ポリペプチド，そのフラグメント，および前記配列およびフラグメントの相補体をコードする核酸配列を含み；そして
（ｂ）プローブ：標的領域ハイブリッドの存在または量を前記疾病の指標として検出する
の各工程を含む方法。
【請求項３６】  前記疾病または疾患が，免疫関連疾病および疾患，心臓血管疾病，神経変性性疾患，および癌からなる群より選択される，請求項３５記載の方法。
【請求項３７】  疾病または疾患の診断道具として試料中においてキナーゼポリペプチドを検出する方法であって，
（ａ）試料中の前記キナーゼポリペプチドをコードする核酸標的領域またはその１またはそれ以上フラグメントを，前記キナーゼポリペプチドをコードする対照核酸標的領域またはその１またはそれ以上のフラグメントと比較し，ここで，前記キナーゼポリペプチドは，配列番号１２２，配列番号１２３，配列番号１２４，配列番号１２５，配列番号１２６，配列番号１２７，配列番号１２８，配列番号１２９，配列番号１３０，配列番号１３１，配列番号１３２，配列番号１３３，配列番号１３４，配列番号１３５，配列番号１３６，配列番号１３７，配列番号１３８，配列番号１３９，配列番号１４０，配列番号１４１，配列番号１４２，配列番号１４３，配列番号１４４，配列番号１４５，配列番号１４６，配列番号１４７，配列番号１４８，配列番号１４９，配列番号１５０，配列番号１５１，配列番号１５２，配列番号１５３，配列番号１５４，配列番号１５５，配列番号１５６，配列番号１５７，配列番号１５８，配列番号１５９，配列番号１６０，配列番号１６１，配列番号１６２，配列番号１６３，配列番号１６４，配列番号１６５，配列番号１６６，配列番号１６７，配列番号１６８，配列番号１６９，配列番号１７０，配列番号１７１，配列番号１７２，配列番号１７３，配列番号１７４，配列番号１７５，配列番号１７６，配列番号１７７，配列番号１７８，配列番号１７９，配列番号１８０，配列番号１８１，配列番号１８２，配列番号１８３，配列番号１８４，配列番号１８５，配列番号１８６，配列番号１８７，配列番号１８８，配列番号１８９，配列番号１９０，配列番号１９１，配列番号１９２，配列番号１９３，配列番号１９４，配列番号１９５，配列番号１９６，配列番号１９７，配列番号１９８，配列番号１９９，配列番号２００，配列番号２０１，配列番号２０２，配列番号２０３，配列番号２０４，配列番号２０５，配列番号２０６，配列番号２０７，配列番号２０８，配列番号２０９，配列番号２１０，配列番号２１１，配列番号２１２，配列番号２１３，配列番号２１４，配列番号２１５，配列番号２１６，配列番号２１７，配列番号２１８，配列番号２１９，配列番号２２０，配列番号２２１，配列番号２２２，配列番号２２３，配列番号２２４，配列番号２２５，配列番号２２６，配列番号２２７，配列番号２２８，配列番号２２９，配列番号２３０，配列番号２３１，配列番号２３２，配列番号２３３，配列番号２３４，配列番号２３５，配列番号２３６，配列番号２３７，配列番号２３８，配列番号２３９，配列番号２４０，配列番号２４１，および配列番号２４２からなる群より選択され；そして
（ｂ）前記標的領域と前記対照標的領域との間の配列または量の差を，前記疾病または疾患の指標として検出する
の各工程を含む方法。
【請求項３８】  前記疾病または疾患が，免疫関連疾病および疾患，心臓血管疾病，神経変性性疾患，および癌からなる群より選択される，請求項３７記載の方法。